(57)【要約】【課題】電池収納ケースに収納されている電池を容易に取り出すことができる技術を提供する。【解決手段】電池収納ケースは、ケース本体と、前記ケース本体に固定されているリボンと、を備えており、前記ケース本体は、手前側にある開口部と、前記開口部よりも奥側にある奥壁部と、を備えており、前記開口部と前記奥壁部との間で前記電池の長手方向が奥行き方向と直交するように前記電池を収納するように構成されており、前記奥壁部は、前記ケース本体に収納されている前記電池の長手方向の一端部の筒状面と対向する位置で奥側に凹んでいる凹部を備えており、前記ケース本体に固定されている前記リボンは、前記凹部よりも前記電池の長手方向の他端部側の位置で前記電池の筒状面に巻き付くように配置されている。【選択図】図７
2020190341.tif 000002
【特許請求の範囲】
【請求項１】
筒型の電池を収納する電池収納ケースを備えている加熱調理器であって、
前記電池収納ケースは、ケース本体と、前記ケース本体に固定されているリボンと、を備えており、
前記ケース本体は、手前側にある開口部と、前記開口部よりも奥側にある奥壁部と、を備えており、前記開口部と前記奥壁部との間で前記電池の長手方向が奥行き方向と直交するように前記電池を収納するように構成されており、
前記奥壁部は、前記ケース本体に収納されている前記電池の長手方向の一端部の筒状面と対向する位置で奥側に凹んでいる凹部を備えており、
前記ケース本体に固定されている前記リボンは、前記凹部よりも前記電池の長手方向の他端部側の位置で前記電池の筒状面に巻き付くように配置されており、
前記電池収納ケースは、前記ケース本体に収納されている前記電池の長手方向の一端部が奥側に押し入れられたときにその一端部が前記奥壁部の前記凹部内に押し入れられる一方で前記電池の長手方向の他端部が手前側に引き出され、かつ、前記リボンが手前側に引き出されたときに前記電池の長手方向の他端部が手前側に引き出される一方で前記電池の長手方向の一端部が前記凹部内に押し入れられるように構成されている、加熱調理器。
【請求項２】
前記ケース本体は、前記奥壁部側で前記電池を収納する奥側収納部と、前記開口部側で前記電池を収納する手前側収納部と、を備えている、請求項１に記載の加熱調理器。
【請求項３】
前記奥壁部は、手前側に突出して前記電池の軸方向の中央部の筒状面に当接する当接部を備えており、
前記電池収納ケースは、前記電池の筒状面に当接する前記当接部が支点になり、前記ケース本体に収納されている前記電池の長手方向の一端部が奥側に押し入れられる一方で、前記電池の長手方向の他端部が手前側に引き出されるように構成されている、請求項１又は２に記載の加熱調理器。
【請求項４】
前記電池収納ケースよりも外側に配置されて前記電池収納ケースを覆っており、前記電池収納ケースに対して回動する外側回動ケースを更に備えており、
前記外側回動ケースは、電池収納ケースに対して回動して、前記加熱調理器の正面よりも奥側に押し入れられる第１の姿勢と、前記加熱調理器の正面よりも手前側に引き出される第２の姿勢との間で姿勢を変更可能に構成されている、請求項１から３のいずれか一項に記載の加熱調理器。
【請求項５】
前記凹部は、前記ケース本体に収納されている前記電池の負極側の端部の筒状面と対向する位置に配置されており、
前記リボンは、前記凹部よりも前記電池の正極側の位置で前記電池の筒状面に巻き付くように配置されている、請求項１から４のいずれか一項に記載の加熱調理器。
【請求項６】
前記外側回動ケースに固定されている液晶の表示パネルを更に備えている、請求項１から５のいずれか一項に記載の加熱調理器。
【発明の詳細な説明】
【技術分野】
【０００１】
本明細書は、加熱調理器に関する。
【背景技術】
【０００２】
特許文献１には、筒型の電池を収納する電池収納ケースが開示されている。特許文献１の電池収納ケースは、手前側にある開口部と、開口部よりも奥側にある奥壁部とを備えており、開口部と奥壁部との間で電池の長手方向が奥行き方向と直交するように電池を収納する。
【先行技術文献】
【特許文献】
【０００３】
【特許文献１】特開２０１２−１２３９３０号公報
【発明の概要】
【発明が解決しようとする課題】
【０００４】
特許文献１の技術では、電池収納ケースに収納されている電池を取り出すときに、例えば、ユーザが指先や爪先を電池の正極側又は負極側の端面に引っ掛けた状態で電池を手前側に引き出さなければならないという問題があった。そのため、特許文献１の技術では、電池収納ケースから電池を容易に取り出すことができないという問題があった。そこで、本明細書は、電池収納ケースから電池を容易に取り出すことができる技術を提供する。
【課題を解決するための手段】
【０００５】
本明細書が開示する加熱調理器は、筒型の電池を収納する電池収納ケースを備えていてもよい。前記電池収納ケースは、ケース本体と、前記ケース本体に固定されているリボンと、を備えていてもよい。前記ケース本体は、手前側にある開口部と、前記開口部よりも奥側にある奥壁部と、を備えており、前記開口部と前記奥壁部との間で前記電池の長手方向が奥行き方向と直交するように前記電池を収納するように構成されていてもよい。前記奥壁部は、前記ケース本体に収納されている前記電池の長手方向の一端部の筒状面と対向する位置で奥側に凹んでいる凹部を備えていてもよい。前記ケース本体に固定されている前記リボンは、前記凹部よりも前記電池の長手方向の他端部側の位置で前記電池の筒状面に巻き付くように配置されていてもよい。前記電池収納ケースは、前記ケース本体に収納されている前記電池の長手方向の一端部が奥側に押し入れられたときにその一端部が前記奥壁部の前記凹部内に押し入れられる一方で前記電池の長手方向の他端部が手前側に引き出され、かつ、前記リボンが手前側に引き出されたときに前記電池の長手方向の他端部が手前側に引き出される一方で前記電池の長手方向の一端部が前記凹部内に押し入れられるように構成されていてもよい。
【０００６】
この構成によれば、ユーザがケース本体に収納されている電池を取り出すときに、電池の長手方向の一端部をケース本体の奥側に押し入れることによって、その一端部が奥壁部の凹部に押し入れられる一方で、長手方向の他端部がケース本体の手前側に引き出される。また、ケース本体に固定されているリボンをユーザが手前側に引き出すことによって、電池の長手方向の他端部がケース本体の手前側に引き出される一方で、電池の長手方向の一端部が凹部に押し入れられる。ケース本体の手前側に引き出された電池の長手方向の他端部を利用して電池をケース本体から取り出すことによって、電池収納ケースから電池を容易に取り出すことができる。
【０００７】
前記ケース本体は、前記奥壁部側で前記電池を収納する奥側収納部と、前記開口部側で前記電池を収納する手前側収納部と、を備えていてもよい。
【０００８】
ケース本体が奥側収納部と手前側収納部とを備えている場合は、手前側収納部に収納されている電池は手前側にあるので取り出し易いものの、奥側収納部に収納されている電池は奥側にあるので取り出し難い。しかしながら、ケース本体の奥壁部が凹部を備えていると共に、リボンが乾電池の筒状面に巻き付くように配置されているので、凹部とリボンを利用することによって奥側収納部に収納されている電池を容易に取り出すことができる。
【０００９】
前記奥壁部は、手前側に突出して前記電池の筒状面に当接する当接部を備えていてもよい。前記電池収納ケースは、前記電池の筒状面に当接する前記当接部が支点になり、前記ケース本体に収納されている前記電池の長手方向の一端部が奥側に押し入れられる一方で、前記電池の長手方向の他端部が手前側に引き出されるように構成されていてもよい。
【００１０】
この構成によれば、電池の筒状面に当接する当接部を支点として利用することによって、電池の長手方向の一端部を奥側に押し入れると同時に他端部を手前側に引き出す作業を容易に行うことができる。そのため、電池をケース本体から容易に取り出すことができる。
【００１１】
前記加熱調理器は、前記電池収納ケースよりも外側に配置されて前記電池収納ケースを覆っている外側回動ケースであって、前記電池収納ケースに対して回動する外側回動ケースを更に備えていてもよい。前記外側回動ケースは、前記電池収納ケースに対して回動して、前記加熱調理器の正面よりも奥側に押し入れられる第１の姿勢と、前記加熱調理器の正面よりも手前側に引き出される第２の姿勢との間で姿勢を変更可能に構成されていてもよい。
【００１２】
電池収納ケースに対して回動する外側回動ケースがあると、電池収納ケースから電池を取り出し難くなる場合がある。例えば、外側回動ケースがあることによって電池収納ケース内が見え難くなり、電池を取り出し難くなる場合がある。しかしながら、凹部とリボンを利用することによって電池収納ケースから電池を容易に取り出すことができる。
【００１３】
前記凹部は、前記ケース本体に収納されている前記電池の負極側の端部の筒状面と対向する位置に配置されていてもよい。前記リボンは、前記凹部よりも前記電池の正極側の位置で前記電池の筒状面に巻き付くように配置されていてもよい。
【００１４】
通常の筒型の電池では電池を負極側から取り出すよりも正極側から取り出す方が取り出し易い。電池を手前側に引き出すためのリボンを電池の正極側に配置することによって、電池を更に容易に取り出すことができる。
【００１５】
前記加熱調理器は、前記外側回動ケースに固定されている液晶の表示パネルを更に備えていてもよい。
【００１６】
この構成によれば、液晶の表示パネルに電力を供給するための電池を表示パネルの近くに配置することができる。
【図面の簡単な説明】
【００１７】
【図１】実施例に係る加熱調理器の斜視図である。
【図２】実施例に係る加熱調理器の要部の第１の状態（ケースカバーが閉じられている状態）の斜視図である。
【図３】実施例に係る加熱調理器の要部の第２の状態（ケースカバーが開かれている状態）の斜視図である。
【図４】実施例に係る加熱調理器の要部の第３の状態（電池収納ケースが引き出されている状態）の斜視図である。
【図５】実施例に係る電池収納ケースの斜視図である。
【図６】実施例に係る電池収納ケースの分解斜視図である。
【図７】実施例に係るケース本体の斜視図である。
【図８】図７のVIII−VIII断面図である（１）。
【図９】図７のVIII−VIII断面図である（２）。
【発明を実施するための形態】
【００１８】
実施例に係る加熱調理器について図面を参照して説明する。図１は、実施例に係る加熱調理器１の斜視図である。図１に示すように、加熱調理器１は、本体１０と、３個のコンロバーナ１２ａ、１２ｂ、１２ｃと、１個のグリルバーナ１２ｄと、を備えている。また、加熱調理器１は、３個のコンロ点火ボタン１４ａ、１４ｂ、１４ｃと、１個のグリル点火ボタン１４ｄと、を備えている。また、加熱調理器１は、トッププレート１６と、正面パネル１８とを備えている。正面パネル１８は、本体１０の手前側に固定されている。
【００１９】
図２から図４に示すように、加熱調理器１は、支持ケース２と、外側回動ケース３０と、電池収納ケース３と、表示パネル５と、ケースカバー６とを備えている。支持ケース２は、加熱調理器１の本体１０内に配置され、本体１０に固定されている。支持ケース２は、正面パネル１８よりも奥側の位置に配置されている。支持ケース２内に外側回動ケース３０と電池収納ケース３が収納される。
【００２０】
外側回動ケース３０は、支持ケース２に対して回動可能に固定されている。外側回動ケース３０は、ヒンジ部２２を中心にして回動する。外側回動ケース３０は、支持ケース２内に押し入れられる第１の姿勢（図２及び図３参照）と、支持ケース２外に引き出される第２の姿勢（図４参照）との間で姿勢を変更可能に構成されている。第１の姿勢では、外側回動ケース３０が加熱調理器１の正面パネル１８よりも奥側に押し入れられる。第２の姿勢では、外側回動ケース３０が加熱調理器１の正面パネル１８よりも手前側に引き出される。外側回動ケース３０は、電池収納ケース３よりも外側に配置されている。外側回動ケース３０は、電池収納ケース３を覆っている。外側回動ケース３０は、ヒンジ部２２を中心にして、電池収納ケース３に対して回動する。図５及び図６に示すように、外側回動ケース３０は、開口部３４を備えている。開口部３４は、複数の乾電池１００が出し入れされる部分である。開口部３４は、後述するケース本体３１の開口部２４と連通している。外側回動ケース３０は、複数個の係合凹部３５を備えている。係合凹部３５は、後述するケースカバー６の係合凸部６５と係合する。
【００２１】
図３に示すように、電池収納ケース３は、支持ケース２に固定されている。電池収納ケース３は、加熱調理器１の正面パネル１８よりも奥側に配置されている。図５及び図６に示すように、電池収納ケース３は、ケース本体３１と、ケース本体３１に固定されているリボン７とを備えている。
【００２２】
ケース本体３１は、外側回動ケース３０に収納されている。図６から図９に示すように、ケース本体３１は、開口部２４と、奥壁部２５と、左側壁部２６と、右側壁部２７と、上壁部２８と、下壁部２９とを備えている。また、ケース本体３１は、複数の正極接点部材４６と、複数の負極接点部材４７とを備えている。ケース本体３１は、複数の筒型の乾電池１００を収納する。各乾電池１００は、正極１０１と負極１０２を備えている。各乾電池１００は、筒状の外周面（筒状面）１０３を備えている。
【００２３】
ケース本体３１の開口部２４は、奥行き方向（Ｙ方向）の手前側で開口している。開口部２４は、複数の乾電池１００が出し入れされる部分である。奥壁部２５は、開口部２４よりも奥側に配置されている。開口部２４と奥壁部２５との間に複数個（本実例では４個）の乾電池１００が収納される。各乾電池１００は、横向きでケース本体３１に収納される。すなわち、各乾電池１００は、その長手方向（正極１０１から負極１０２に向かう方向）がケース本体３１の奥行き方向（Ｙ方向）と直交する状態でケース本体３１に収納される。
【００２４】
ケース本体３１は、奥壁部２５側で乾電池１００を収納する奥側収納部４１（４１ａ、４１ｂ）と、開口部２４側で乾電池１００を収納する手前側収納部４２（４２ａ、４２ｂ）とを備えている。ケース本体３１は、２個の奥側収納部４１（上奥側収納部４１ａ及び下奥側収納部４１ｂ）と、２個の手前側収納部４２（上手前側収納部４２ａ及び下手前側収納部４２ｂ）とを備えている。上奥側収納部４１ａは、下奥側収納部４１ｂよりも上側に配置されている。上手前側収納部４２ａは、下手前側収納部４２ｂよりも上側に配置されている。
【００２５】
奥壁部２５は、奥行き方向（Ｙ方向）の奥側に凹んでいる凹部４０を備えている。凹部４０は、上奥側収納部４１ａの奥側に設けられている。凹部４０は、上奥側収納部４１ａに収納されている乾電池１００の長手方向の一端部（負極１０２側の端部）の筒状面１０３と対向する位置に設けられている。すなわち、凹部４０は、乾電池１００の負極１０２の近傍の外周面と対向している。また、奥壁部２５は、手前側に突出している当接部４４を備えている。当接部４４は、奥側収納部４１（上奥側収納部４１ａと下奥側収納部４１ｂ）に収納されている２個の乾電池１００のそれぞれの筒状面１０３の奥側部分に当接するように設けられている。当接部４４は、各乾電池１００の軸方向の中央部に当接する。
【００２６】
左側壁部２６と右側壁部２７は、ケース本体３１に収納されている各乾電池１００の電極と対向するように設けられている。左側壁部２６には複数個の正極接点部材４６と、複数個の負極接点部材４７とが固定されている。同様に、右側壁部２７にも複数個の正極接点部材４６と、複数個の負極接点部材４７とが固定されている。ケース本体３１に収納されている乾電池１００の正極１０１が正極接点部材４６に接触し、乾電池１００の負極１０２が負極接点部材４７に接触する。正極接点部材４６と負極接点部材４７との間に乾電池１００が収納される。
【００２７】
ケース本体３１の下壁部２９は、上側に突出している２個の支持部４９を備えている。各支持部４９は、下奥側収納部４１ｂに収納されている乾電池１００の手前側の筒状面１０３に当接するように設けられている。また、下壁部２９の手前側にはリボン７が固定されている。
【００２８】
リボン７は、下壁部２９と奥壁部２５と上壁部２８に沿って延びるように配置されている。リボン７は、その一端部が下壁部２９に固定され、他端部がケース本体３１の開口部２４よりも手前側に突出するように配置されている。リボン７の他端部は、開口部２４の上壁部２８側の端部から手前側に突出している。リボン７は、奥側収納部４１（上奥側収納部４１ａと下奥側収納部４１ｂ）に収納されている２個の乾電池１００のそれぞれの筒状面１０３の奥側部分に巻き付くように配置されている。リボン７は、２個の乾電池１００のそれぞれの長手方向の中央部よりも一方の電極側の筒状面１０３に巻き付くように配置されている。リボン７は、上奥側収納部４１ａに収納されている乾電池１００の正極１０１側の筒状面１０３に巻き付く位置に設けられている。リボン７は、下奥側収納部４１ｂに収納されている乾電池１００の負極１０２側の筒状面１０３に巻き付く位置に設けられている。リボン７は、奥壁部２５に設けられている当接部４４を挟んで凹部４０と反対側の位置に配置されている。リボン７は、凹部４０よりも乾電池１００の正極１０１側の位置で乾電池１００の筒状面１０３に巻き付くように配置されている。
【００２９】
図５及び図６に示すように、表示パネル５は、外側回動ケース３０に固定されている。表示パネル５の裏側に外側回動ケース３０が配置されている。表示パネル５は、液晶パネルである。表示パネル５は、電池収納ケース３に収納されている複数個の乾電池１００から供給される電力によって動作する。表示パネル５は、加熱調理器１の状態に関する情報を表示する。
【００３０】
ケースカバー６は、電池収納ケース３に対して回動可能に固定されている。ケースカバー６は、ヒンジ部２３を中心にして回動する。ケースカバー６は、電池収納ケース３のケース本体３１の開口部２４と、外側回動ケース３０の開口部３４とを開閉する。ケースカバー６は、複数個の係合凸部６５を備えている。ケースカバー６が閉じられたときに、ケースカバー６の各係合凸部６５が外側回動ケース３０の各係合凹部３５と係合する。
【００３１】
次に、電池収納ケース３に収納されている複数個の乾電池１００を取り出す方法について説明する。電池収納ケース３に収納されている複数個の乾電池１００を取り出すときは、まずケース本体３１の上手前側収納部４２ａに収納されている乾電池１００を取り出す。例えば、加熱調理器１のユーザが、指先や爪先を乾電池１００の正極１０１側又は負極１０２側の端面に引っ掛けた状態で乾電池１００を手前側に引き出す。
【００３２】
続いてユーザは、ケース本体３１の上奥側収納部４１ａに収納されている乾電池１００を取り出す。上奥側収納部４１ａに収納されている乾電池１００を取り出すときは、図９に示すように、ユーザが、上奥側収納部４１ａに収納されている乾電池１００の長手方向の負極１０２側の端部を奥側に押し入れる（矢印参照）。乾電池１００の負極１０２側の端部が奥側に押し入れられると、その端部が、ケース本体３１の奥壁部２５に設けられている凹部４０内の空間に押し入れられる。また、乾電池１００の筒状面１０３の奥側部分が奥壁部２５に設けられている当接部４４に当接する。そうすると、乾電池１００の負極１０２側の端部が奥側に押し入れられる一方で、乾電池１００の筒状面１０３に当接する当接部４４が支点になり、乾電池１００の正極１０１側の端部が手前側に引き出される（矢印参照）。
【００３３】
更に、加熱調理器１のユーザは、ケース本体３１の開口部２４から手前側に突出しているリボン７の端部を手前側に引き出す。そうすると、ケース本体３１の上奥側収納部４１ａに収納されている乾電池１００の正極１０１側の端部が手前側に引き出される（矢印参照）。乾電池１００の正極１０１側の端部が手前側に引き出される一方で、乾電池１００の筒状面１０３に当接する当接部４４が支点になり、乾電池１００の負極１０２側の端部が凹部４０内の空間に押し入れられる。加熱調理器１のユーザは、手前側に引き出された乾電池１００の正極１０１側の端部を利用して乾電池１００を電池収納ケース３から取り出すことができる。
【００３４】
上手前側収納部４２ａと上奥側収納部４１ａのそれぞれに収納されている各乾電池１００が取り出されると、上手前側収納部４２ａと上奥側収納部４１ａに空間ができる。
【００３５】
続いてユーザは、ケース本体３１の下手前側収納部４２ｂに収納されている乾電池１００と、下奥側収納部４１ｂに収納されている乾電池１００とを取り出す。例えば、ユーザは、上手前側収納部４２ａと上奥側収納部４１ａに空間ができているので、その空間に指先を入れて、下手前側収納部４２ｂと下奥側収納部４１ｂのそれぞれに収納されている各乾電池１００を取り出す。以上により、電池収納ケース３に収納されている複数個の乾電池１００を取り出すことができる。
【００３６】
以上、実施例について説明した。上記の説明から明らかなように、実施例に係る加熱調理器１は電池収納ケース３を備えている。電池収納ケース３のケース本体３１は、手前側にある開口部２４と、開口部２４よりも奥側にある奥壁部２５とを備えている。ケース本体３１は、開口部２４と奥壁部２５との間で筒型の乾電池１００の長手方向が奥行き方向と直交するように乾電池１００を収納する。奥壁部２５は、上奥側収納部４１ａに収納されている乾電池１００の長手方向の負極１０２側の端部の筒状面１０３と対向する位置で奥側に凹んでいる凹部４０を備えている。また、ケース本体３１に固定されているリボン７は、凹部４０よりも乾電池１００の長手方向の正極１０１側の位置で乾電池１００の筒状面１０３に巻き付くように配置されている。電池収納ケース３は、上奥側収納部４１ａに収納されている乾電池１００の負極１０２側の端部が奥側に押し入れられたときに負極１０２側の端部が凹部４０内に押し入れられる一方で正極１０１側の端部が手前側に引き出されるように構成されている。また、電池収納ケース３は、リボン７が手前側に引き出されたときに乾電池１００の正極１０１側の端部が手前側に引き出されるように構成されている。
【００３７】
この構成によれば、電池収納ケース３の手前側に引き出された乾電池１００の正極１０１側の端部を利用して乾電池１００をケース本体３１から取り出すことによって、乾電池１００を容易に取り出すことができる。
【００３８】
また、上記の構成では、ケース本体３１が、奥壁部２５側で乾電池１００を収納する上奥側収納部４１ａと、開口部２４側で乾電池１００を収納する上手前側収納部４２ａとを備えている。この構成では、上手前側収納部４２ａに収納されている乾電池１００は手前側にあるので取り出し易いものの、上奥側収納部４１ａに収納されている乾電池１００は奥側にあるので取り出し難い。しかしながら、ケース本体３１の奥壁部２５が凹部４０を備えていると共に、リボン７が乾電池１００の筒状面１０３に巻き付くように配置されているので、凹部４０とリボン７を利用することによって上奥側収納部４１ａに収納されている乾電池１００を容易に取り出すことができる。
【００３９】
また、上記の構成では、奥壁部２５が、手前側に突出して乾電池１００の筒状面１０３に当接する当接部４４を備えている。電池収納ケース３は、上奥側収納部４１ａに収納されている乾電池１００の負極１０２側の端部が奥側に押し入れられたときに、乾電池１００の筒状面１０３に当接する当接部４４が支点になり、乾電池１００の正極１０１側の端部が手前側に引き出されるように構成されている。この構成によれば、当接部４４を利用することによって乾電池１００の正極１０１側の端部を容易に手前側に引き出すことができる。そのため、乾電池１００を容易に取り出すことができる。
【００４０】
また、上記の構成では、加熱調理器１が、電池収納ケース３よりも外側に配置されて電池収納ケース３を覆っている外側回動ケース３０を備えている。外側回動ケース３０は、電池収納ケース３に対して回動する。外側回動ケース３０は、加熱調理器１の正面パネル１８よりも奥側に押し入れられる第１の姿勢（図３、５参照）と、加熱調理器１の正面パネル１８よりも手前側に引き出される第２の姿勢（図４参照）との間で姿勢を変更可能に構成されている。外側回動ケース３０が第１の姿勢（図５参照）のときに電池収納ケース３から乾電池１００が取り出されるが、例えば、外側回動ケース３０があることによって電池収納ケース３内がユーザから見え難くなり、電池収納ケース３から電池を取り出し難くなる場合がある。しかしながら、ケース本体３１の奥壁部２５が凹部４０を備えていると共に、乾電池１００の筒状面１０３に巻き付くリボン７があるので、凹部４０とリボン７を利用することによって正面パネル１８よりも奥側にある乾電池１００を容易に取り出すことができる。
【００４１】
また、上記の構成では、凹部４０が、ケース本体３１に収納されている乾電池１００の負極１０２側の端部の筒状面１０３と対向する位置に配置されている。また、リボン７が、凹部４０よりも乾電池１００の正極１０１側の位置で乾電池１００の筒状面１０３に巻き付くように配置されている。通常の筒型の乾電池１００では負極１０２側から取り出すよりも正極１０１側から取り出す方が乾電池１００を取り出し易い。乾電池１００を手前側に引き出すためのリボン７を乾電池１００の正極１０１側に配置しておくことによって、乾電池１００を円滑に手前側に引き出すことができる。
【００４２】
また、上記の加熱調理器１は、電池収納ケース３に固定されている液晶の表示パネル５を備えている。この構成によれば、液晶の表示パネル５に電力を供給するための乾電池１００を表示パネル５の近くに配置することができる。
【００４３】
以上、本発明の実施例について詳細に説明したが、これらは例示に過ぎず、特許請求の範囲を限定するものではない。特許請求の範囲に記載の技術には、以上に例示した具体例を様々に変形、変更したものが含まれる。
【００４４】
（他の実施例）
（１）上記の実施例では、電池収納ケース３が複数の乾電池１００を収納する構成であったが、この構成に限定されるものではない。他の実施例では、電池収納ケース３が１個の乾電池１００のみを収納する構成であってもよい。電池収納ケース３のケース本体３１が上奥側収納部４１ａに相当する収納部のみを備えている構成であってもよい。この構成でも凹部４０とリボン７を利用して１個の乾電池１００を容易に取り出すことができる。
【００４５】
（２）上記の実施例では、乾電池１００が用いられていたが、他の実施例では、乾電池１００に代えて筒型の蓄電池が用いられてもよい。
【００４６】
（３）リボン７は、帯状であっても紐状であってもよい。
【００４７】
（４）当接部４４は、奥壁部２５に設けられているリブであってもよい。
【００４８】
（５）電池収納ケース３が外側回動ケース３０に固定されていてもよい。電池収納ケース３が外側回動ケース３０と共に支持ケース２に対して回動する構成であってもよい。
【００４９】
（６）支持ケース２と電池収納ケース３が一体で構成されていてもよい。
【００５０】
（７）上記の実施例では、奥壁部２５の凹部４０が、ケース本体３１の上奥側収納部４１ａに収納されている乾電池１００の負極１０２側の端部の筒状面１０３と対向する位置に配置されていた。また、リボン７が、凹部４０よりも乾電池１００の正極１０１側の位置で乾電池１００の筒状面１０３に巻き付くように配置されていた。しかしながら、この構成に限定されるものではない。他の実施例では、奥壁部２５の凹部４０が、ケース本体３１の上奥側収納部４１ａに収納されている乾電池１００の正極１０１側の端部の筒状面１０３と対向する位置に配置されていてもよい。また、リボン７が、凹部４０よりも乾電池１００の負極１０２側の位置で乾電池１００の筒状面１０３に巻き付くように配置されていてもよい。すなわち、凹部４０とリボン７に対する乾電池１００の正極１０１と負極１０２の向きが上記の実施例と反対向きであってもよい。
【００５１】
本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００５２】
１：加熱調理器、２：支持ケース、３：電池収納ケース、５：表示パネル、６：ケースカバー、７：リボン、１０：本体、１６：トッププレート、１８：正面パネル、２４：開口部、２５：奥壁部、２６：左側壁部、２７：右側壁部、２８：上壁部、２９：下壁部、３０：外側回動ケース、３１：ケース本体、３４：開口部、３５：係合凹部、４０：凹部、４１：奥側収納部、４１ａ：上奥側収納部、４４：当接部、４６：正極接点部材、４７：負極接点部材、４９：支持部、６５：係合凸部、１００：乾電池、１０１：正極、１０２：負極、１０３：筒状面
【図１】
2020190341.tif 000003
【図２】
2020190341.tif 000004
【図３】
2020190341.tif 000005
【図４】
2020190341.tif 000006
【図５】
2020190341.tif 000007
【図６】
2020190341.tif 000008
【図７】
2020190341.tif 000009
【図８】
2020190341.tif 000010
【図９】
2020190341.tif 000011